(57)【要約】【課題】  弾性構造体を指で摘みその摘み力を強めてのピンからの抜き操作において、硬質生ピンキャッチのピン挟持箇所のピン挟持力が著しく増大して著しく抜き難くなることが生じないキャッチを提供する。【解決手段】  胴部３が、胴部前後幅Ｔが胴部左右幅Ｌよりも短い幅であるＬ＞Ｔ形態であり、前記Ｌ＞Ｔ形態によって、指で胴部３を左右方向から摘まんだ前記左右摘み状態では、摘まんでいる親指と人差し指をズラし動作させるだけで、摘まみ状態にある弾性構造体２は簡単容易に回って、摘まみ状態が胴部３を前後方向から摘まんだ、摘まみ力を強めても挟持硬質体の挟持力が強まらない前後摘まみ状態となる、又は、摘まみ力を強めると弾性体が滑り回って（特に手脂等が着いている場合）前後摘まみ状態となる形態である。【選択図】  図１
2017158646.tif 000002
【特許請求の範囲】
【請求項１】
弾性材料からなる弾性構造体と、
この弾性構造体の指で摘まむ部位である胴部と、
前記弾性構造体の底部から上方に向けて設けられた、ピンを挿入するピン挿入孔と、
前記弾性構造体に内設された、前記ピン挿入孔に挿入状態にある前記ピンを対抗挟持形態で挟持する第１の挟持部と第２の挟持部を有し、前記第１の挟持部と前記第２の挟持部の前記ピンを付勢挟持する挟持動作方向が左右方向であり、かつ、前後方向は前記ピンを付勢挟持する方向ではない非動作方向である硬質製部材からなるピン挟持硬質体と、を備えるとともに、
前記胴部を前記挟持動作方向である前記左右方向から指で摘まみその摘まみ力を強めると、前記第１の挟持部と前記第２の挟持部の前記ピンを挟持するピン挟持力が強まる左右摘み挟持力強化形態であり、
前記胴部を前記非動作方向である前記前後方向から指で摘まみその摘まみ力を強めても、前記第１の挟持部と前記第２の挟持部の前記ピンを挟持するピン挟持力は強まらない前後摘み挟持力非強化形態であり、
前記胴部の全部又は一部が、胴部前後幅（Ｔ）が胴部左右幅（Ｌ）よりも短い幅である（Ｌ）＞（Ｔ）形態であり、
前記（Ｌ）＞（Ｔ）形態によって、指で前記胴部を前記左右方向から摘まんだ左右摘み状態では、摘まんでいる親指と人差し指をズラし動作させるだけで、摘まみ状態にある前記弾性構造体は簡単容易に回って、摘まみ状態が前記胴部を前記前後方向から摘まんだ前後摘まみ状態となる、又は、摘まみ力を強めると前記弾性体が滑り回って前記前後摘まみ状態となる形態であることを特徴とするキャッチ。
【請求項２】
前記胴部の前記（Ｌ）＞（Ｔ）形態となっている部位の左右側が、外側に向かうに伴って前記胴部前後幅（Ｔ）が狭くなる形態、又は、前記左右側の端部側が前記胴部の中央側より前記胴部前後幅（Ｔ）が狭い形態であることを特徴とする請求項１記載のキャッチ。
【請求項３】
前記胴部の左側端部と右側端部の位置が、一方の端部が前方側に位置し他方の端部が前記一方の端部より後方側に位置した異なる前後位置であることを特徴とする請求項１又は２に記載のキャッチ。
【請求項４】
前記胴部の前部側および後部側の上部側又はいずれか一方の上部側に、摘まんだ指が掛かる突出形態の指掛かり突起が設けられてなることを特徴とする請求項１、２又は３に記載のキャッチ。
【発明の詳細な説明】
【技術分野】
【０００１】
本発明は、シリコンゴム製部材などの弾性構造体に硬質部材（金等）からなるピンキャッチを内蔵したピアス用のキャッチを、親指と人差し指で摘んでピアスピンから抜く操作において、摘んでいる指の摘み力を強めても、ピンキャッチのピン挟持箇所のピン挟持力が強まって抜き難くなることが生じないキャッチに関する。
【背景技術】
【０００２】
図１３に示す従来技術である特許文献１に開示されている、樹脂製弾性体１０１（弾性構造体）と、この樹脂製弾性体１０１の内に射出成型等で一体成型により内設された金属製のバネ部材１０２とから構成されている、ピアスイヤリング用キャッチはがしられている。
樹脂製弾性体１０１はその形状を中央に環状凹部１１を有している横断面が円形態となる臼形態であるものある。
バネ部材１０２（ピン挟持硬質体）は、一枚の板材の両側をそれぞれ上向き巻き形態で湾曲形態（略円形態）に形成した第１の挟持部１０２ａ、第２の挟持部１０２ｂを形成してなるものである。
湾曲形態の縁側である円が二つ並んだ形態（眼鏡形態）に見える側が挟持体前後側であり、板形態に見える側が挟持体左右側である。
【０００３】
また、特許文献２に開示されている、ピン挟持硬質体を内設する弾性構造体が半円球体ないし該半円球体の上部を平ら面としたものが知られている。
【先行技術文献】
【特許文献】
【０００４】
【特許文献１】特許第５０４１７４８号公報
【特許文献２】特許３７９７５９１号公報
【発明の概要】
【発明が解決しようとする課題】
【０００５】
特許文献１の発明は、バネ部材１０２（ピン挟持硬質体）は左右側から摘まんだ状態でその摘まみ力を強めると、第１の挟持部１０２ａと第２の挟持部１０２ｂは左右から押されて内側に動き、そのピン挟持箇所１０２ｃのピン挟持力が強められる挟持力強まり動作状態となるものである。この挟持力強まり動作状態では、ピン１２０からの引き抜きは抵抗が強くなり、さらにピン溝１２０ａにピン挟持箇所１０２ｃが位置している場合ないし位置した場合は、引き抜き操作に著しい困難性が生じることになるものであった。
その結果、耳たぶのピアスホールを痛めたり、ピアスの飾りを変形させたり破損させたりする危険があるものであったし、使用者に不快感を与えるものであった。
【０００６】
また、樹脂製弾性体１０１（弾性構造体）は、その横断面が円形であるため指で摘まんだ時に転がり感（不安定感と安心性の無さ）があり、かつ、横断面が円形であるため指への当たり感が分散されずに指とのあたり部位に集中するために、摘み時の指への当たり感が強く感じられるということから、摘み安定感・安心感に欠けている、すなわち摘み収まりが悪いという欠点を有するものであった。
【０００７】
また、指に手脂、化粧油脂等がある場合には、滑り動いて指から抜け外れてしまうことが容易に起こるという欠点を有するものであった。
【０００８】
以上のことから、特許文献１の発明は、樹脂製弾性体１０１は断面が円形形態であるために、摘まんだ箇所がそのまま摘まみ状態決定箇所となるものである。よって、バネ部材１０２（ピン挟持硬質体）の前後側を摘む形態となることもあれば、バネ部材１０２（ピン挟持硬質体）の左右側を摘む形態となることもあるものである。
左右側を摘む形態を摘む左右摘み形態となったときには、その摘まみ力によってピン挟持箇所１０２ｃが挟持力強まり動作状態となり、ピン１２０が著しく抜け難い状態になるという欠点を有するものであった。
【０００９】
特許文献２の発明も弾性構造体がその横断面が円形であるので、特許文献１の発明と同様な欠点を有するものであった。
【００１０】
本発明は以上のような従来技術の欠点に鑑み、弾性構造体を指で摘みその摘み力を強めてのピンからの抜き操作において、硬質性ピンキャッチのピン挟持箇所のピン挟持力が増大して抜き難くなることが生じないキャッチを提供することを目的としている。
【課題を解決するための手段】
【００１１】
上記目的を達成するために、本発明は次に述べるような構成となっている。
＜請求項１記載の発明＞
弾性材料からなる弾性構造体と、
この弾性構造体の指で摘まむ部位である胴部と、
前記弾性構造体の底部から上方に向けて設けられた、ピンを挿入するピン挿入孔と、
前記弾性構造体に内設された、前記ピン挿入孔に挿入状態にある前記ピンを対抗挟持形態で挟持する第１の挟持部と第２の挟持部を有し、前記第１の挟持部と前記第２の挟持部の前記ピンを付勢挟持する挟持動作方向が左右方向であり、かつ、前後方向は前記ピンを付勢挟持する方向ではない非動作方向である硬質製部材からなるピン挟持硬質体と、を備えるとともに、
前記胴部を前記挟持動作方向である前記左右方向から指で摘まみその摘まみ力を強めると、前記第１の挟持部と前記第２の挟持部の前記ピンを挟持するピン挟持力が強まる左右摘み挟持力強化形態であり、
前記胴部を前記非動作方向である前記前後方向から指で摘まみその摘まみ力を強めても、前記第１の挟持部と前記第２の挟持部の前記ピンを挟持するピン挟持力は強まらない前後摘み挟持力非強化形態であり、
前記胴部の全部又は一部が、胴部前後幅（Ｔ）が胴部左右幅（Ｌ）よりも短い幅である（Ｌ）＞（Ｔ）形態であり、
前記（Ｌ）＞（Ｔ）形態によって、指で前記胴部を前記左右方向から摘まんだ左右摘み状態では、摘まんでいる親指と人差し指をズラし動作させるだけで、摘まみ状態にある前記弾性構造体は簡単容易に回って、摘まみ状態が前記胴部を前記前後方向から摘まんだ前後摘まみ状態となる、又は、摘まみ力を強めると前記弾性体が滑り回って前記前後摘まみ状態となる形態であることを特徴とするキャッチである。
【００１２】
「前後摘まみ状態」には、斜め前後方向からの斜め摘まみ状態、親指と人差し指が左右にズレた位置となっているズレた位置摘み状態等を含むものである。
「胴部」は、弾性構造体の全てが胴部である形態、弾性構造体の略全てが胴部である形態、弾性構造体の一部が胴部である形態が含まれる。
「ズラし動作」とは、親指と人差し指をキャッチを摘んだまま反対方向に滑り動かす（滑り移動させる）動作をいう。
【００１３】
＜請求項２記載の発明＞
前記胴部の前記（Ｌ）＞（Ｔ）形態となっている部位の左右側が、外側に向かうに伴って前記胴部前後幅（Ｔ）が狭くなる形態、又は、前記左右側の端部側が前記胴部の中央側より前記胴部前後幅（Ｔ）が狭い形態であることを特徴とする請求項１記載のキャッチである。
【００１４】
胴部前後幅（Ｔ）が狭くなる形態には、胴部の側部全体が狭くなる形態、胴部の側部の略全体が狭くなる形態、胴部の側部の一部が狭くなる形態を含む。
【００１５】
＜請求項３記載の発明＞
前記胴部の左側端部と右側端部の位置が、一方の端部が前方側に位置し他方の端部が前記一方の端部より後方側に位置した異なる前後位置であることを特徴とする請求項１又は２に記載のキャッチである。
【００１６】
＜請求項４記載の発明＞
前記胴部の前部側および後部側の上部側又はいずれか一方の上部側に、摘まんだ指が掛かる突出形態の指掛かり突起が設けられてなることを特徴とする請求項１、２又は３に記載のキャッチである。
【発明の効果】
【００１７】
本発明は次に述べるような効果を奏する。
＜請求項１記載の発明の効果＞
（１）胴部が（Ｌ）＞（Ｔ）形態であることによって、指で前記胴部を前記左右方向から摘まんだ左右摘み状態では、摘まんでいる親指と人差し指をズラし動作させるだけで、摘まみ状態にある前記弾性構造体は簡単容易に回って、摘まみ状態が前記胴部を前記前後方向から摘まんだ前後摘まみ状態となる、又は、摘まみ力を強めると前記弾性体が滑り回って（指に脂が着いている場合は顕著）前記前後摘まみ状態となる形態であるものである。
すなわち、常に摘まみ状態が幅広の前後方向摘み状態となるものであり、それは摘まみ力を強めても第１の挟持部と第２の挟持部のピン挟持力は強まることが生じない前後摘み形態であるから、第１の挟持部と第２の挟持部が形成しているピン挟持箇所にピン溝が入っても、該ピンが抜け難くなるということが起きないキャッチを実現するという効果を奏する。
【００１８】
（２）幅広面の前後方向摘み状態による幅広面ゆえに摘み安定安心感の強い摘みは、特に、指脂や化粧脂が指に着いている滑りやすい状態においても、安定安心感と良好な指への収まり感の確りとした摘まみ状態を実現するという効果を奏する。
【００１９】
（３）実際の指での摘み操作にあって、胴部を真左右から摘むことは少なく、真左右からズレた位置となるズレ左右摘み形態が多くなるのであり、該ズレ左右摘まみ形態では自然に指のズレ動作ないしキャッチ回り動作になって、前後摘まみ状態となるものである。
【００２０】
（４）実際の指での摘み操作にあっては、幅広側を摘むことが圧倒的に多くなるものであるので、左右摘み機会が少なく前後摘み機会が圧倒的に多くなるという効果を奏するものである。
【００２１】
＜請求項２記載の発明の効果＞
請求項１記載の発明と同様な効果を奏するとともに、左右端部側の胴部前後幅（Ｔ）が狭くなる形態であるので、胴部を真左右から摘んだ状態においても、弾性構造体は極めて容易にズレ回りやすい形態となるものである。
よって、より自然的に前後摘まみ状態となるという効果を奏するものである。
【００２２】
＜請求項３記載の発明の効果＞
請求項１又は２記載の発明と同様な効果を奏するとともに、指での摘み操作にあって、胴部を真左右から摘んだ状態においても、胴部の左側端部と右側端部の前後位置が異なる位置である、よって親指と人差し指の左右からの摘み状態においては親指と人差し指への当たり位置が前後にズレた位置であるので、その左右端部ズレ状態によって摘まむだけで、ないし少し摘まみ力を強めるだけで弾性構造体は自然に回り動作となり、又は指が自然にズレ動きとなって弾性構造体が回り動作となるものである。よって、摘まむと必然的に前後摘まみ状態になるという効果を奏する。
【００２３】
＜請求項４記載の発明の効果＞
請求項１、２又は３に記載の発明と同様な効果を奏するとともに、摘まんだ状態において、指掛かり突起が指に掛かるので、摘まみ力を強めて抜き操作が行いやすい、特に指に脂が着いている場合でも滑り難くするという効果を奏する。
【図面の簡単な説明】
【００２４】
【図１】本発明の実施例１の平面図（上図）、正面図（中図）および側面図（下図）。
【図２】本発明の実施例１の側面図中央縦拡大断面図（上図）および摘み状態を示す側面図（下図）。
【図３】本発明の実施例２の平面図（上図）、正面図（中図）および側面図（下図）。
【図４】本発明の実施例３の平面図（上図）、正面図（中図）および側面図（下図）。
【図５】本発明の実施例４の平面図（上図）、正面図（中図）および側面図（下図）。
【図６】本発明の実施例５の平面図（上図）、正面図（中図）および側面図（下図）。
【図７】本発明の実施例６の平面図（上図）、正面図（中図）および側面図（下図）。
【図８】本発明の実施例７の平面図（上図）、正面図（中図）および側面図（下図）。
【図９】本発明の実施例８の側面図（上図）および正面図（下図）。
【図１０】本発明の実施例９の側面図（上図）および正面図（下図）。
【図１１】本発明の実施例１０の平面図（上図）および正面図（下図）。
【図１２】本発明の実施例１０の側面図（上図）およびくびれ部の横断面図と下部肉厚部の形態比較図（下図）。
【図１３】本発明の実施例１０のくびれ部の横断面図と指掛かり部の形態の第１の比較図（上図）および異なるくびれ部の横断面図と指掛かり部の形態の第２の比較図（下図）。
【図１４】本発明の実施例１１の側面図（上図）およびＡ−Ａ線切断断面図（下図）。
【図１５】本発明の実施例１２の平面図（上図）、側面図（中図）および正面図（下図）。
【図１６】本発明の実施例１３の平面図（上図）、正面図（中図）および側面図（下図）。
【図１７】本発明の実施例１４の平面図（上図）および正面図（下図）。
【発明を実施するための形態】
【００２５】
以下、本発明を実施するための最良の形態である実施例について説明する。但し、本発明をこれら実施例のみに限定する趣旨のものではない。また、後述する実施例の説明に当って、前述した実施例の同一構成部分には同一符号を付して重複する説明を省略する。
【００２６】
各図において、透明な弾性構造体の内側に見える部材および部位は細線で表現している。
【実施例１】
【００２７】
図１〜２に示す本発明の実施例において、キャッチ１は次に述べるような構成となっている。
シリコンゴム製部材、天然ゴム製部材、合成ゴム製部材、弾性合成樹脂製部材などの弾性材料（ここでは透明シリコンゴム製部材）からなる、指で摘んでピアスピンＰＮであるピンＰＮへの挿入操作と抜き操作を行う弾性構造体２と、
この弾性構造体２の指で摘まむ部位である胴部３と、
弾性構造体２の底部から上方に向けて設けられた、ピンＰＮを挿入する該ピンＰＮの太さ径よりも小径孔であるピン挿入孔４と、
弾性構造体２に内設された、ピン挿入孔４に挿入状態にあるピンＰＮを対抗挟持形態で挟持する第１の挟持部５ａと第２の挟持部５ｂを有し、第１の挟持部５ａと第２の挟持部５ｂのピンＰＮを付勢挟持する挟持動作方向が左右方向であり、かつ、前後方向はピンＰＮを付勢挟持する方向ではない非動作方向である硬質製部材からなるピン挟持硬質体５と、を備えるとともに、
胴部３を前記挟持動作方向である前記左右方向から指で摘まみその摘まみ力を強めると、第１の挟持部５ａと第２の挟持部５ｂは摘まみ力によって内側に押され動いて、ピンＰＮを挟持するピン挟持力が強まる左右摘み挟持力強化形態であり、
胴部３を前記非動作方向である前記前後方向から指で摘まみその摘まみ力を強めても、第１の挟持部５ａと第２の挟持部５ｂは摘まみ力によって内側に動くことはなく、ピンＰＮを挟持するピン挟持力は強まらない前後摘み挟持力非強化形態であり、
胴部３が、胴部前後幅Ｔが胴部左右幅Ｌよりも短い幅であるＬ＞Ｔ形態であり、
前記Ｌ＞Ｔ形態によって、指で胴部３を左右方向から摘まんだ前記左右摘み状態では、摘まんでいる親指と人差し指を軽く少し（気持程度の意識で）ズラし動作させるだけで、摘まみ状態にある弾性構造体２は簡単容易に回って、摘まみ状態が胴部３を前後方向から摘まんだ前後摘まみ状態となる、又は、摘まみ力を強めると弾性体が滑り回って（特に手脂等の油脂成分が指に着いている場合は容易に滑り回る。）前後摘まみ状態となる形態であることを特徴としている。
【００２８】
弾性構造体２は、上下方向には凸凹や湾曲等の無いストレート形態（中央の正面図参照）である。
寸法は、胴部左右幅Ｌは６．０ｍｍ、胴部前後幅Ｔは２．８ｍｍ、高さＨは４．２ｍｍである。
胴部左右Ｌは弾性構造体２の左右幅（横幅）でもある。
高さＨ（上下幅）は胴部の高さ（胴部上下幅、縦幅）でもある。
【００２９】
胴部前後幅Ｔは、５ｍｍ〜２ｍｍがよく、好ましくは４．５ｍｍ〜２．２ｍｍ、より好ましくは４ｍｍ〜２．５ｍｍがよい。
胴部左右幅Ｌは、１０ｍｍ〜３．５ｍｍがよく、好ましくは８ｍｍ〜４ｍｍ、より好ましくは７ｍｍ〜４．５ｍｍがよい。
弾性構造体２の高さＨは、１０ｍｍ〜３．５ｍｍがよく、好ましくは８ｍｍ〜５ｍｍ、より好ましくは７ｍｍ〜４ｍｍがよい。
胴部左右幅Ｌは胴部前後幅Ｔの１．３倍以上、好ましくは１．４倍以上、より好ましくは１．５倍以上、さらに好ましくは１．７倍以上であるのがよい。
【００３０】
弾性構造体２の４角部位は湾曲角形態となっていて、摘まんだ指をズラし動きとしたときに容易にキャチが１／４回転と回りやすくしている、ないし手脂等の脂分が着いているときには滑り回りやすくしている。
【００３１】
胴部３の前部面上側と後部面上部側には、左右湾曲側部面に達しない形態の梨地面８が設けられている。
梨地面８は形成する金型の梨地面が鏡面仕上げとされた形態としているので、曇った面とはならず、透明な内部が透けて見える梨地面である。
梨地面８の微細な多数の凸部によって、摘まんだ指が滑り難い摘み心地を実現するとともに、抵抗が大きくなるので抜き操作が行い易く、指の摘まみ力をそれほど強めなくても軽快な抜き操作感を実現している。
梨地面８は胴部３の前部面と後部面の略全体（全体を含む）に設ける形態、上部と下部には設けない中央部に設ける形態など多様な形態がある。
また、梨地面８は金型からの抜きを容易に行い易くするための機能を果たす形態でもある。
【００３２】
ピン挟持硬質体５は、弾性構造体２内の下部にその底部を該弾性構造体２の底部外に露出形態した形態で一体成型により内設され、ピン挿入孔４に挿入状態にあるピンＰＮを対抗挟持形態で挟持する、一枚の板材の両側をそれぞれ上向き巻き形態で湾曲形態（略円形態）に形成してなる第１の挟持部５ａと第２の挟持部５ｂを有してなる硬質製部材（ここでは金製部材）からなっている。
第１の挟持部５ａと第２の挟持部５ｂ内に弾性構造体２が充填された一体化構造となっている。
ピン挟持硬質体５の寸法は、底部ベース径は２．５ｍｍ、第１の挟持部５ａと第２の挟持部５ｂの前後幅は１ｍｍ、高さ２．５ｍｍであるが、この寸法に限定するものではない。
【００３３】
第１の挟持部５ａと第２の挟持部５ｂにはプレート強靭化のためのビード６が形成されている。
第１の挟持部５ａと第２の挟持部５ｂのピンＰＮを挟持する箇所はピン挟持箇所５ｃを形成し、第１の挟持部５ａと第２の挟持部５ｂはピン挟持箇所５ｃにおいて実質的に当接形態ないし近接形態である。
ピンＰＮをピン挿入孔４に挿入すると、ピンＰＮはピン挟持箇所５ｃにおいて第１の挟持部５ａと第２の挟持部５ｂに当たり、そのまま推し進めると、第１の挟持部５ａと第２の挟持部５ｂを弾性構造体２の弾性肉の弾性力に抗して第１の挟持部５ａと第２の挟持部５ｂを外側に押しのけ動かした挟持部押しのけ挿入状態となる。
この挟持部押しのけ挿入状態にあって、ピン挟持箇所５ｃ部位は硬質であるために変形することがなく且つ幅広プレート形態である。よって、弾性構造体２の弾性肉の押し戻そうとする弾性反発力によって、ピン挟持箇所５ｃ部位はピンＰＮへの挟持力を強めて抜け難くする動作となる。
【００３４】
そして、胴部３を挟持動作方向である左右方向から指で摘まみその摘まみ力を強めると、弾性構造体２は左右方向から押し圧縮されてその弾性反発力が強められ、該強められた弾性反発力によって第１の挟持部５ａと第２の挟持部５ｂは内側に押されるので、ピンＰＮを挟持するピン挟持箇所５ｃのピン挟持力は強めれて、ピンＰＮの抜き操作時の抜き抵抗が大きくなるものである。
すなわち、左右方向からの摘み形態は左右摘み挟持力強化形態となるものである。
【００３５】
他方、胴部３を非動作方向である前後方向から指で摘まみその摘まみ力を強めても、第１の挟持部５ａと第２の挟持部５ｂは弾性構造体２の弾性反発力の強まりがあってもピン挟持箇所５ｃの挟持圧力は強まらない形態であり、すなわちピン挟持箇所５ｃのピン挟持力は強まらない前後摘み挟持力非強化形態であるものである。
【００３６】
ピン挟持硬質体は、ゴールド、プラチナなどの貴金属に限定されず、チタン、ステンレス、メッキした鋼材、硬質性合成樹脂製部材など多種、多様な形態がある。
また、その形態も挟持部が外側から内側に向かう湾曲形態に限られず、例えば図１７に示すような内側から外側に向かう形態など多様な形態がある。
【００３７】
（１）胴部３が（Ｌ）＞（Ｔ）形態であることによって、指で胴部３を左右方向から摘まんだ左右摘み状態では、摘まんでいる親指と人差し指をズラし動作させるだけで、摘まみ状態にある弾性構造体２は簡単容易に回って、摘まみ状態が胴部３を前後方向から摘まんだ前後摘まみ状態となる、又は、摘まみ力を強めると前記弾性体が滑り回って（特に指に脂成分が着いている場合は）前記前後摘まみ状態となる形態であるものである。
すなわち、常に摘まみ状態が幅広の前後方向摘み状態となるものであり、それは摘まみ力を強めてもピン挟持箇所５ｃのピン挟持力は強まることが生じない形態であるから、ピンＰＮが抜け難くなるということが起きないキャッチを実現している。
胴部前後幅Ｔが胴部左右幅Ｌよりも短い幅であるＬ＞Ｔ形態は、胴部の全部がＬ＞Ｔ形態であるもの、胴部の略全部がＬ＞Ｔ形態あるもの、胴部の一部がＬ＞Ｔ形態であるものなどがある。
（２）幅広の前後方向摘み状態による幅広ゆえに摘み安定安心感の強い摘みは、特に、指脂や化粧脂が指に着いている滑りやすい状態においても、安定安心感のある確りとした摘まみ状態を実現する。
（３）指での摘み操作にあって、胴部３を真左右から摘むことは少なく、少し真左右からズレたズレ左右摘み形態が多くなるのであり、該ズレ左右摘まみ形態では自然に指のズレ動作ないしキャッチ回り動作になって、前後摘まみ状態となるものである。
（４）指での摘み操作にあっては、幅広側を摘むことが圧倒的に多くなるものであるので、左右摘み機会が少なく前後摘み機会が圧倒的に多くなるものである。
【実施例２】
【００３８】
図３に示す本発明を実施するための実施例２において、前記実施例１と主に異なる点は、胴部３の左側および右側が、外側に向かうに伴って胴部前後幅Ｔが狭くなる湾曲形態である幅が狭くなる幅狭左側部９ａ、幅狭右側部９ｂとした左右側形態であり、かつ、左側端部１０ａと右側端部１０ｂの位置が、中心線Ｙよりも一方の端部（ここでは左側端部１０ａ）が前方側に位置し他方の端部（ここでは右側端部１０ｂ）が後方側に位置した異なる前後位置としたキャッチ１１を形成した点にある。
上部は湾曲凸形態としている。
梨地８は設けていない。
【００３９】
左右端部側が幅狭左側部９ａ、幅狭右側部９ｂという胴部前後幅Ｔが狭くなる形態であるので、胴部３を真左右（中心線Ｙ上）から摘んだ状態においても、弾性構造体２は極めて容易にズレ回りやすい形態となるものである。
よって、より自然的に前後摘まみ状態となる形態を実現している。
【００４０】
さらに、左側端部１０ａと右側端部１０ｂの位置が、中心線Ｙよりも一方の端部が前方側に位置し他方の端部が後方側に位置した異なる前後位置とした前後にズレた形態としているので、その左右端部ズレ状態によって少し摘まみ力を強めるだけで弾性構造体は自然に回り動作となりやすく、又は指がスムーズな自然なズレ動きとなって弾性構造体が回り動作となるものである。よって、摘まむと必然的に前後摘まみ状態になる、ないし極めてなりやすい形態を実現している。
【実施例３】
【００４１】
図４に示す本発明を実施するための実施例３において、前記実施例１と主に異なる点は、弾性構造体および胴部を、縦半円盤体ないし縦半楕円盤体の弾性構造体１３および胴部１４としてなるキャッチ１５を形成した点にある。
左右側部は湾曲形態としている。
弾性構造体１３と胴部１４は同じである。
【実施例４】
【００４２】
図５に示す本発明を実施するための実施例４において、前記実施例１と主に異なる点は、弾性構造体を、下部に前方後方に広がる摘まんだ指が当たる指当たり部１７ａ、１７ｂを設け、正面形態が縦半円盤体ないし縦半楕円盤体の形態とし、指当たり部１７ａ、１７ｂの上部に形成された胴部を、その側面形態を湾曲末広がり形態の胴部１８としてなる弾性構造体１９としたキャッチ２０を形成した点にある。
左右側部は四角を湾曲形態としている。
下部に前方後方に広がる摘まんだ指が当たる指当たり部１７ａ、１７ｂによって、広い底部面となり、これによって置いたと置き状態が座りのよいものとなっている。
指当たり部１７ａ、１７ｂの下部側は胴部１８に含まれない。
【実施例５】
【００４３】
図６に示す本発明を実施するための実施例５において、前記実施例１と主に異なる点は、弾性構造体および胴部を、平面形態を菱形形態とし、その角を湾曲角とした弾性構造体２２および胴部２３としたキャッチ２４を形成した点にある。
その菱形形態によって摘み形態は必然的に常に斜め前後摘み形態になってしまうものである。
角は全部または一部を鋭角としてもよい。
【００４４】
菱形形態の胴部の左右側短部位は変形し易い薄肉形態であるので、真左右摘み状態でもその摘み力を少し強めるだけで、先端部位は変形し押さえバランスが即くずれて弾性構造体２２は回ってしまい、安心安定性のある前後摘み状態となる。
【実施例６】
【００４５】
図７に示す本発明を実施するための実施例６において、前記実施例１と主に異なる点は、弾性構造体および胴部を、左右側部に突出部２６ａ、突出部２６ｂを設けてなる弾性構造体２７および胴部２８としてなるキャッチ２９を形成した点にある。
胴部２８の左側端部と右側端部である突出部２６ａの端部と、突出部２６ｂの端部が、一方の端部（ここでは突出部２６ａの端部）が前方側に位置し他方の端部（ここでは突出部２６ｂの端部）が後方側に位置した異なる前後位置としている。
突出部２６ａ、突出部２６ｂによって、胴部２８の厚肉部位の左右幅を短くできる。
【００４６】
突出部２６ａの端部と突出部２６ｂの端部が、中心線Ｙよりも前後にズレた異なる前後位置形態としているので、その左右端部ズレ状態によって少し摘まみ力を強めるだけで弾性構造体は自然に回り動作となりやすく、又は指がスムーズな自然なズレ動きとなって弾性構造体２７が回り動作となるものである。よって、摘まむと必然的に前後摘まみ状態になる、ないし極めてなりやすい形態を実現している。
【００４７】
突出部２６ａ、突出部２６ｂは変形し易い薄肉形態であるので、真左右摘み状態でもその摘み力を少し強めるだけで、先端部位は変形し押さえバランスが即くずれて弾性構造体２７は回ってしまい、安心安定性のある前後摘み状態となる
【実施例７】
【００４８】
図８に示す本発明を実施するための実施例７において、前記実施例１と主に異なる点は、弾性構造体および胴部を、その左右側部を半分以上を斜めにカットした側部斜め形態とした弾性構造体３１および胴部３２としてなるキャッチ３３を形成した点にある。
そして、左側端部３４ａと右側端部３４ｂの位置が、中心線Ｙよりも一方の端部（ここでは左側端部３４ａ）が前方側に位置し他方の端部（ここでは右側端部３４ｂ）が後方側に位置した異なる前後位置とした前後にズレた形態としている。
その左右端部ズレ状態によって少し摘まみ力を強めるだけで弾性構造体は自然に回り動作となりやすく、又は指がスムーズな自然なズレ動きとなって弾性構造体が回り動作となるものである。よって、摘まむと必然的に前後摘まみ状態になる、ないし極めてなりやすい形態を実現している。
側部斜め形態は、側部の一部が斜め形態でもよく、側部の全部が斜め形態でもよい。
【実施例８】
【００４９】
図９に示す本発明を実施するための実施例８において、前記実施例１と主に異なる点は、胴部をより胴部前後幅Ｔが短い前後薄肉形態とした胴部３６とし、下部側を残した形態の下突出部３７ａ、３７ｂを形成してなる弾性構造体３８としてなる形態のキャッチ３９を形成した点にある。
【００５０】
胴部前後幅Ｔはピン挟持硬質体５の前後幅よりも前後０．３ｍｍほどの肉厚となっている。ここでは胴部前後幅Ｔは１．６ｍｍとしている。
胴部前後幅Ｔが１．６ｍｍと薄肉形態であるので、真左右摘み状態でもその摘み力を少し強めるだけで、胴部３６の側部肉は変形し押さえバランスが即くずれて弾性構造体３８は回ってしまい、安心安定性のある摘み収まりの良い前後摘み状態となる。
【実施例９】
【００５１】
図１０に示す本発明を実施するための実施例９において、前記実施例８と主に異なる点は、胴部を、上部に前後に突出する指掛かり部４１ａ、４１ｂを設けてなる胴部４２とした弾性構造体４３を形成してなるキャッチ４４を形成した点にある。
抜き操作時は指掛かり部４１ａ、４１ｂが指に掛かるので抜き操作が行いやすい。指掛かり部４１ａ、４１ｂ面は梨地面とするのがよい。
【実施例１０】
【００５２】
図１１、１２、１３に示す本発明を実施するための実施例１０において、前記実施例１と主に異なる点は、胴部を、中ほどを前後幅を狭（短）くした（薄くした）くびれ部４６とし、上部を前後に突出した指が掛かる部位となる指掛かり部４７ａ、４７ｂとし、下部を前後に肉厚として残した下部肉厚部４８ａ、４８ｂとした胴部４９とし、該胴部４９からなる弾性構造体５０を形成してなるキャッチ５１を形成した点にある。
下部肉厚部４８ａ、４８ｂの高さはピン挟持硬質体５の半分以上（ここでは２／３程度）を覆う形態としている。
左右側部形態は全体が湾曲側部形態としている。
【００５３】
図１２においては、くびれ部４６、指掛かり部４７ａ、４７ｂ、下部肉厚部４８ａ、４８ｂの前後面は平ら面となっている。
図１３には図１２とはくびれ部と指掛かり部の組み合わせの異なる二つの形態を示している。
図１３の上図の形態は、くびれ部と指掛かり部が略楕円形態をしているものである。
図１３の下図の形態は、くびれ部と指掛かり部の左右側が直線的に狭くなって行く三角形形態であり、前後面形態がくびれ部が平ら面であり、指掛かり部は湾曲凹形態となっている。
【実施例１１】
【００５４】
図１４に示す本発明を実施するための実施例１１において、前記実施例８と主に異なる点は、胴部を、前後面を三角凹み形態の凹部５２ａ、５２ｂ、上部に前記三角凹み形態部位に収まる形態の指掛かり部５３ａ、５３ｂを形成した胴部５４とし、弾性構造体を弾性構造体５５としてなるキャッチ５６を形成した点にある。
胴部５４の左右側部は湾曲形態としている。
【実施例１２】
【００５５】
図１５に示す本発明を実施するための実施例１２においてキャッチ６０は、
弾性構造体２と同様の素材からなる弾性構造体６１と、
この弾性構造体６１の指で摘まむ部位である胴部６２と、
弾性構造体６１の底部から上方に向けて設けられたピン挿入孔４と、
弾性構造体６１に内設された、ピン挿入孔４に挿入状態にあるピンＰＮを対抗挟持形態で挟持する第１の挟持部５ａと第２の挟持部５ｂを有するピン挟持硬質体５とを備えた形態のものである。
【００５６】
弾性構造体６１は、その下部側に、摘まんだ指先が当たる指当たり部６４が全周横向突出形態で設けられ、その上部側に、摘まんだ指が掛かる指掛かり部６５が全周横向突出形態で設けられている。
指当たり部６４と指掛かり部６５の間にくびれ部６６が設けられている。
指掛かり部６５とくびれ部６６とで胴部６２を形成している。
【００５７】
指当たり部６４、指掛かり部６５、くびれ部６６の平面形態は、ピン挟持硬質体５の平面形態である長方形形態を大きくした長方形形態であるとともに、左右側部は凸湾曲形態であり、前後面は平ら面とした形態である。
【００５８】
その機能、摘み時の作用・動作ないし挙動は実施例１と同様のものである。
【実施例１３】
【００５９】
図１６に示す本発明を実施するための実施例１３において、前記実施例１と主に異なる点は、弾性構造体および胴部を、胴部左右幅Ｌの幅を前記実施例１のキャッチ１より短くした弾性構造体６８、胴部６９とし、
ピン挟持硬質体５を弾性構造体６８の中ほどに位置させて、該弾性構造体６８の底部からピン挟持硬質体５の底部のピン通し孔に連通するすり鉢形態の誘い込み孔７０を設け、
胴部６９の形態を、上部から下部に向かう部位の前後幅を０．２５ｍｍずつ狭くしてくびれ部７３とし、結果、上部の前後に０．２５ｍｍずつ突出する指掛かり部７１ａ、７１ｂを形成してなるキャッチ７２を形成した点にある。
指掛かり部７１ａ、７１ｂは、前部部位および後部部位の一部中ほどに設ける形態でもよい。
【実施例１４】
【００６０】
図１７に示す本発明を実施するための実施例１４において、前記実施例１と主に異なる点は、ピン挟持硬質体をピン挟持硬質体７５としてなるキャッチ７６を形成した点にある。
ピン挟持硬質体７５は、ピン通し孔を有するベース部７７ｄと、このベース部７７ｄの左側が内側上に曲がり上り傾斜直線形態で先端が外側に曲がってなる第１の挟持部７７ａと、ベース部７７ｄの右側が内側上に曲がり上り傾斜直線形態で先端が外側に曲がってなる第２の挟持部７７ｂと、第１の挟持部７７ａと第２の挟持部７７ｂのピンＰＮを挟持する箇所であるピン挟持箇所７７ｃとからなっている。
弾性構造体２（胴部３でもある）の左右側部上部縁を湾曲形態としている。
【産業上の利用可能性】
【００６１】
本発明は、装身具を製造、使用する産業で利用される。
【符号の説明】
【００６２】
ＰＮ：ピン、
Ｌ：胴部左右幅、
Ｔ：胴部前後幅、
Ｈ：胴部高さ、
Ｙ：中心線、
１：キャッチ、
２：弾性構造体、
３：胴部、
４：ピン挿入孔、
５：ピン挟持硬質体、
５ａ：第１の挟持部、
５ｂ：第２の挟持部、
５ｃ：ピン挟持箇所、
６：ビート、
８：梨地面、
９ａ：幅狭左側部、
９ｂ：幅狭右側部、
１０ａ：左側端部、
１０ｂ：右側端部、
１１：キャッチ、
１３：弾性構造体、
１４：胴部、
１５：キャッチ、
１７ａ、１７ｂ：指当たり部、
１８：胴部、
１９：弾性構造体、
２０：キャッチ、
２２：弾性構造体、
２３：胴部、
２４：キャッチ、
２６ａ、２６ｂ：突出部、
２７：弾性構造体、
２８：胴部、
２９：キャッチ、
３１：弾性構造体、
３２：胴部、
３３：キャッチ、
３４ａ：左側端部、
３４ｂ：右側端部、
３６：胴部、
３７ａ、３７ｂ：下突出部、
３８：弾性構造体、
３９：キャッチ、
４１ａ、４１ｂ：指掛かり部、
４２：胴部、
４３：弾性構造体、
４４：キャッチ、
４６：くびれ部、
４７ａ、４７ｂ：指掛かり部、
４８ａ、４８ｂ：下部肉厚部、
４９：胴部、
５０：弾性構造体、
５１：キャッチ、
５２ａ、５２ｂ：凹部、
５３ａ、５３ｂ：指掛かり部、
５４：胴部、
５５：弾性構造体、
５６：キャッチ、
６０：キャッチ、
６１：弾性構造体、
６２：胴部、
６４：指当たり部、
６５：指掛かり部、
６６：くびれ部、
６８：弾性構造体、
６９：胴部、
７０：誘い込み孔、
７１ａ、７１ｂ：指掛かり部、
７２：キャッチ、
７３：くびれ部、
７５：ピン挟持硬質体、
７６：キャッチ、
７７ａ：第１の挟持部、
７７ｂ：第２の挟持部、
７７ｃ：ピン挟持箇所、
７７ｄ：ベース部。
【図１】
2017158646.tif 000003
【図２】
2017158646.tif 000004
【図３】
2017158646.tif 000005
【図４】
2017158646.tif 000006
【図５】
2017158646.tif 000007
【図６】
2017158646.tif 000008
【図７】
2017158646.tif 000009
【図８】
2017158646.tif 000010
【図９】
2017158646.tif 000011
【図１０】
2017158646.tif 000012
【図１１】
2017158646.tif 000013
【図１２】
2017158646.tif 000014
【図１３】
2017158646.tif 000015
【図１４】
2017158646.tif 000016
【図１５】
2017158646.tif 000017
【図１６】
2017158646.tif 000018
【図１７】
2017158646.tif 000019